Podtech/llm-jp-corpus-v4-ja_patent huggingface dataset:
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
ダイナミックランダムアクセスメモリ(DRAM)欠陥をカーネルマスキングするための方法であって、
ダイナミックランダムアクセスメモリ(DRAM)内の物理アドレスに関連するシングルビットエラーを検出して、訂正するステップと、
前記DRAMから前記物理アドレスに関連するエラーデータを受信するステップと、
不揮発性メモリ内に位置する失敗アドレステーブル内に前記受信されたエラーデータを記憶するステップと、
前記物理アドレスに関連するエラーの数がエラーカウントしきい値を超える場合、前記物理アドレスに対応するカーネルページを破棄するステップとを含み、前記物理アドレスに対応する前記カーネルページを前記破棄する前記ステップは、不良ページリストを生成して、前記不揮発性メモリ内に記憶するステップを含み、前記不良ページリストはメモリ割振りから除外されるべき前記物理アドレスを保持するカーネルページを識別する、方法。
【請求項２】
前記シングルビットエラーは前記DRAMによって検出されて、訂正される、請求項1に記載の方法。
【請求項３】
前記DRAMから前記エラーデータを前記受信するステップは、オペレーティングシステムがエラーデータに関して前記DRAMに問い合わせるステップを含む、請求項1に記載の方法。
【請求項４】
前記受信されたエラーデータは、失敗コードワードアドレスに対応するDRAMバンク、列、および行アドレスを識別する、請求項1に記載の方法。
【請求項５】
前記失敗アドレステーブル内に前記受信されたエラーデータを前記記憶するステップは、前記失敗コードワードアドレスに関連するエラーの数を更新するステップを含む、請求項4に記載の方法。
【請求項６】
前記カーネルページのコンテンツを新しい空のカーネルページに転送するステップと、
前記カーネルページを将来の使用から除去するステップと
をさらに含む、請求項1に記載の方法。
【請求項７】
デバイスブートアップにおいて、前記不揮発性メモリ内に記憶された前記不良ページリストを読み取るステップと、
前記不良ページリスト内で識別された前記カーネルページをオペレーティングシステムのフリーページブロックリストから除外するステップと
をさらに含む、請求項1に記載の方法。
【請求項８】
デバイスブートアップにおいて、前記DRAMおよび前記不揮発性メモリ以外のメモリから一次ブートローダを実行するステップと、
前記不揮発性メモリから前記不良ページリストを読み取るステップと、
前記不良ページリスト内で識別された前記カーネルページを除外することによって、エラーのないDRAMの連続ブロックを決定するステップと
をさらに含む、請求項1に記載の方法。
【請求項９】
前記エラーのないDRAMから二次ブートローダを実行するステップと、
前記エラーのないDRAMからオペレーティングシステムをロードするステップと、
前記不良ページリスト内で識別された前記カーネルページを除外するオペレーティングシステムのフリーブロックリストを構成するステップと
をさらに含む、請求項8に記載の方法。
【請求項１０】
前記物理アドレスに対応する前記カーネルページを前記破棄するステップは、割り振られたDRAMから前記カーネルページを除外するステップを含む、請求項1に記載の方法。
【請求項１１】
ダイナミックランダムアクセスメモリ(DRAM)欠陥をカーネルマスキングするためのシステムであって、
ダイナミックランダムアクセスメモリ(DRAM)内の物理アドレスに関連するシングルビットエラーを検出して、訂正するための手段と、
前記DRAMから前記物理アドレスに関連するエラーデータを受信するための手段と、
不揮発性メモリ内に位置する失敗アドレステーブル内に前記受信されたエラーデータを記憶するための手段と、
前記物理アドレスに関連するエラーの数がエラーカウントしきい値を超える場合、前記物理アドレスに対応するカーネルページを破棄するための手段とを備え、前記物理アドレスに対応する前記カーネルページを破棄するための前記手段は、不良ページリストを生成して、前記不揮発性メモリ内に記憶するための手段を含み、前記不良ページリストはメモリ割振りから除外されるべき前記物理アドレスを保持するカーネルページを識別する、システム。
【請求項１２】
前記DRAMから前記エラーデータを前記受信するための手段は、エラーデータに関して前記DRAMに問い合わせるための手段を備える、請求項11に記載のシステム。
【請求項１３】
前記受信されたエラーデータは、失敗コードワードアドレスに対応するDRAMバンク、列、および行アドレスを識別する、請求項11に記載のシステム。
【請求項１４】
前記失敗アドレステーブル内に前記受信されたエラーデータを前記記憶するための手段は、前記失敗コードワードアドレスに関連するエラーの数を更新するための手段を備える、請求項13に記載のシステム。
【請求項１５】
実行時に、請求項１から１０のいずれか一項に記載の方法を少なくとも１つのコンピュータに実行させるための実行可能命令を含むコンピュータプログラム。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
回路と、前記回路の電源レイルと電力供給源の間に結合された電力スイッチとを備えるシステムにおけるパワーゲーティングのための方法であって、
前記回路が不活性状態から起動されるべきときに前記電力スイッチをオンにすることを備え、ここにおいて、前記電力スイッチをオンにすることは、
第１の時間間隔のあいだに第１の速度で前記電力スイッチの抵抗を減少させることと、
前記第１の時間間隔のすぐ後に続く第２の時間間隔のあいだに第２の速度で前記電力スイッチの前記抵抗を減少させること、ここにおいて、前記第１の速度は前記第２の速度よりも大きく、前記第１の時間間隔と前記第２の時間間隔との間の境界は、前記回路の前記電源レイルの電圧が前記回路内のトランジスタのしきい値電圧にほぼ達する時刻と一致する、と、
を備える、方法。
【請求項２】
前記第１の速度は前記第２の速度より少なくとも２倍大きい、請求項１に記載の方法。
【請求項３】
前記第２の時間間隔の後に続く第３の時間間隔のあいだに第３の速度で前記電力スイッチの前記抵抗を減少させること、ここにおいて、前記第３の速度は前記第１および第２の速度よりも大きい、
をさらに備える、請求項１に記載の方法。
【請求項４】
前記第２の時間間隔と前記第３の時間間隔との間の境界は、前記回路の電圧が前記電力供給源の基準の供給電圧の９０パーセント以上になる時刻と一致する、請求項３に記載の方法。
【請求項５】
前記電力スイッチは第１の複数のスイッチと、第２の複数のスイッチとを備え、前記方法はさらに、
前記第１の時間間隔のあいだに前記第１の複数のスイッチをオンにすることと、
前記第２の時間間隔のあいだに前記第２の複数のスイッチをオンにすることと、
を備える、請求項１に記載の方法。
【請求項６】
前記第１の複数のスイッチは前記第２の複数のスイッチよりも速い速度でオンにされる、請求項５に記載の方法。
【請求項７】
前記第１の複数のスイッチ中の少なくとも２つのスイッチは並行してオンにされる、請求項５に記載の方法。
【請求項８】
前記第１の複数のスイッチのそれぞれは、前記第２の複数のスイッチのそれぞれよりも低い抵抗を有する、請求項５に記載の方法。
【請求項９】
回路と、前記回路の電源レイルと電力供給源の間に結合された電力スイッチとを備えるシステムにおけるパワーゲーティングのための装置であって、前記装置は、
前記回路が不活性状態から起動されるべきときに前記電力スイッチをオンにするための手段を備え、ここにおいて、前記電力スイッチをオンにするための前記手段は、
第１の時間間隔のあいだに第１の速度で前記電力スイッチの抵抗を減少させるための手段と、
前記第１の時間間隔のすぐ後に続く第２の時間間隔のあいだに第２の速度で前記電力スイッチの前記抵抗を減少させるための手段、ここにおいて、前記第１の速度は前記第２の速度よりも大きく、前記第１の時間間隔と前記第２の時間間隔との間の境界は、前記回路の前記電源レイルの電圧が前記回路内のトランジスタのしきい値電圧にほぼ達する時刻と一致する、と、
を備える、装置。
【請求項１０】
前記第１の速度は前記第２の速度より少なくとも２倍大きい、請求項９に記載の装置。
【請求項１１】
前記第２の時間間隔の後に続く第３の時間間隔のあいだに第３の速度で前記電力スイッチの前記抵抗を減少させるための手段、ここにおいて、前記第３の速度は前記第１および第２の速度よりも大きい、
をさらに備える、請求項９に記載の装置。
【請求項１２】
前記第２の時間間隔と前記第３の時間間隔との間の境界は、前記回路の電圧が前記電力供給源の基準の供給電圧の９０パーセント以上になる時刻と一致する、請求項１１に記載の装置。
【請求項１３】
前記電力スイッチは第１の複数のスイッチと、第２の複数のスイッチとを備え、前記装置はさらに、
前記第１の時間間隔のあいだに前記第１の複数のスイッチをオンにするための手段と、
前記第２の時間間隔のあいだに前記第２の複数のスイッチをオンにするための手段と、
を備える、請求項９に記載の装置。
【請求項１４】
前記第１の複数のスイッチは前記第２の複数のスイッチよりも速い速度でオンにされる、または、
前記第１の複数のスイッチ中の少なくとも２つのスイッチは並行してオンにされる、請求項１３に記載の装置。
【請求項１５】
前記第１の複数のスイッチのそれぞれは、前記第２の複数のスイッチのそれぞれよりも低い抵抗を有する、請求項１３に記載の装置。
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
信号探索の方法であって、
信号のサンプルを受信することと、
複数の異なるコードを生成することと、各コードが異なるコード仮説に対応する、
各コードについて逆拡散済みサンプルを生成するために、前記生成されたコードで前記サンプルのうちの少なくとも一部を並列に逆拡散することと、
前記コードの長さにわたって、各コードについて前記逆拡散済みサンプルを蓄積することと、
前記信号の第２のサンプルを受信することと、
複数の時間シフト済みコードを生成するために、コードを異なる時間遅延だけ時間シフトすることと、各時間シフト済みコードが異なる時間仮説に対応する、
各時間シフト済みコードについて逆拡散済みサンプルを生成するために、前記時間シフト済みコードで前記第２のサンプルのうちの少なくとも一部を並列に逆拡散することと、
前記時間シフト済みコードの長さにわたって、各時間シフト済みコードについて前記逆拡散済みサンプルを蓄積することと、
ここにおいて、前記生成されたコードで前記第１のサンプルのうちの少なくとも一部を並列に逆拡散することと、前記時間シフト済みコードで前記第２のサンプルのうちの少なくとも一部を並列に逆拡散することとが、異なる時に同一の複数の逆拡散ブロックを使用して実施され、
前記逆拡散ブロックに対する複数のコード経路を第１の構成から第２の構成に再構成することと、ここにおいて、前記第１の構成では、前記コード経路が、前記生成されたコードを前記逆拡散ブロックに入力し、前記第２の構成では、前記コード経路が、前記時間シフト済みコードを前記逆拡散ブロックに入力する
を備える方法。
【請求項２】
各コードが異なるパイロットコードを備える請求項１に記載の方法。
【請求項３】
各パイロットコードが異なる共通パイロットチャネル（ＣＰＩＣＨ）コードを備える請求項２に記載の方法。
【請求項４】
時間シフトされる前記コードが同期信号を備える請求項１に記載の方法。
【請求項５】
前記同期信号が１次同期チャネル（Ｐ−ＳＣＨ）コードを備える請求項４に記載の方法。
【請求項６】
前記コード経路を再構成することが、前記生成されたコードで前記第１のサンプルのうちの少なくとも一部を並列に逆拡散する前記ステップと、前記時間シフト済みコードで前記第２のサンプルのうちの少なくとも一部を並列に逆拡散するステップとの間で実施される請求項１に記載の方法。
【請求項７】
信号探索のための装置であって、
信号のサンプルを受信するための手段と、
複数の異なるコードを生成するための手段と、各コードが異なるコード仮説に対応する、
各コードについて逆拡散済みサンプルを生成するために、前記生成されたコードで前記サンプルのうちの少なくとも一部を並列に逆拡散するための手段と、
前記コードの長さにわたって、各コードについて前記逆拡散済みサンプルを蓄積するための手段と、
前記信号の第２のサンプルを受信するための手段と、
複数の時間シフト済みコードを生成するために、コードを異なる時間遅延だけ時間シフトするための手段と、各時間シフト済みコードが異なる時間仮説に対応する、
各時間シフト済みコードについて逆拡散済みサンプルを生成するために、前記時間シフト済みコードで前記第２のサンプルのうちの少なくとも一部を並列に逆拡散するための手段と、
前記時間シフト済みコードの長さにわたって、各時間シフト済みコードについて前記逆拡散済みサンプルを蓄積するための手段と、
ここにおいて、前記生成されたコードで前記第１のサンプルのうちの少なくとも一部を並列に逆拡散するための前記手段と、前記時間シフト済みコードで前記第２のサンプルのうちの少なくとも一部を逆拡散するための前記手段とが、複数のコード入力を共有し、
前記複数のコード入力に対する複数のコード経路を第１の構成から第２の構成に再構成するための手段と、ここにおいて、前記第１の構成では、前記コード経路が、前記生成されたコードを前記コード入力に入力し、前記第２の構成では、前記コード経路が、前記時間シフト済みコードを前記コード入力に入力する、
を備える装置。
【請求項８】
各コードが異なるパイロットコードを備える請求項７に記載の装置。
【請求項９】
各パイロットコードが異なる共通パイロットチャネル（ＣＰＩＣＨ）コードを備える請求項８に記載の装置。
【請求項１０】
時間シフトされる前記コードが同期信号を備える請求項７に記載の装置。
【請求項１１】
前記同期信号が１次同期チャネル（Ｐ−ＳＣＨ）コードを備える請求項１０に記載の装置。
【請求項１２】
時間探索モードで前記装置を操作するための命令を受信するための手段をさらに備え、ここにおいて、再構成するための前記手段が、前記命令に応答して前記コード経路を前記第１の構成から前記第２の構成に再構成する請求項７に記載の装置。
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
レイクフィンガ処理のための方法であって、
レジスタから実行ユニット内にサンプルをロードすることと、
前記実行ユニット内で前記レジスタからの前記サンプルに対するレイクフィンガ操作を実施すること、ここにおいて、前記レイクフィンガ操作を実施することが、
回転されたサンプルを生成するために、前記レジスタからの前記サンプルに対して回転操作を実施することと、
第１のフィルタされたサンプルおよび第２のフィルタされたサンプルを生成するために、前記回転されたサンプルに対する有限インパルス応答（ＦＩＲ）フィルタ操作を実施すること、前記第１のフィルタされたサンプルは、前記第２のフィルタされたサンプルから時間においてオフセットされる、と、
前記第１のフィルタされたサンプルおよび前記第２のフィルタされたサンプルに対する逆拡散操作を実施すること、ここにおいて、前記ＦＩＲフィルタ操作からの前記第１のフィルタされたサンプルおよび前記第２のフィルタされたサンプルが、前記レジスタを通ることなく前記逆拡散操作に入力される、と、
を備え、前記逆拡散操作を実施することが、
前記第１のフィルタされたサンプルを第１のコードで第１の逆拡散されたサンプルに逆拡散することと、
前記第２のフィルタされたサンプルを前記第１のコードの時間シフトバージョンで第２の逆拡散されたサンプルに逆拡散することと、
を備える、と、
前記レイクフィンガ操作からの結果を前記レジスタに書き込むことと、
を備える、方法。
【請求項２】
前記回転操作が、前記レジスタからの前記サンプル内の搬送周波数オフセットを補償する、請求項１に記載の方法。
【請求項３】
前記回転操作を実施することが、
位相を生成することと、
前記搬送周波数オフセットを補償するために、前記生成した位相によって前記レジスタからの前記サンプルを回転することと、
を備える、請求項２に記載の方法。
【請求項４】
前記逆拡散操作を実施することが、前記第２のフィルタされたサンプルを第２のコードで第３の逆拡散されたサンプルに逆拡散することを備える、請求項１に記載の方法。
【請求項５】
前記第２がパイロットコードを備える、請求項４に記載の方法。
【請求項６】
前記逆拡散操作を実施することが、
第１のシンボルを生成するために、前記第１のコードの長さにわたって前記第１の逆拡散されたサンプルを蓄積することと、
第２のシンボルを生成するために、前記第１のコードの前記時間シフトバージョンの長さにわたって前記第２の逆拡散されたサンプルを蓄積することと、
を備える、請求項１に記載の方法。
【請求項７】
前記第１および第２のシンボルが、チップの半分、または１チップの間隔を置いて配置される、請求項６に記載の方法。
【請求項８】
前記第１のコードの前記時間シフトバージョンを生成するために、前記第１のコードを１チップだけ遅延することをさらに備える、請求項６に記載の方法。
【請求項９】
単一の命令を使用して前記レイクフィンガ操作を実施するように前記実行ユニットを構成することをさらに備える、請求項１に記載の方法。
【請求項１０】
レジスタから実行ユニット内にサンプルをロードするための手段と、
前記実行ユニット内で前記レジスタからの前記サンプルに対するレイクフィンガ操作を実施するための手段、ここにおいて、前記レイクフィンガ操作を実施するための前記手段が、
回転されたサンプルを生成するために、前記レジスタからの前記サンプルに対して回転操作を実施するための手段と、
第１のフィルタされたサンプルおよび第２のフィルタされたサンプルを生成するために、前記回転されたサンプルに対する有限インパルス応答（ＦＩＲ）フィルタ操作を実施するための手段、前記第１のフィルタされたサンプルは、前記第２のフィルタされたサンプルから時間においてオフセットされる、と、
前記第１のフィルタされたサンプルおよび前記第２のフィルタされたサンプルに対する逆拡散操作を実施するための手段、ここにおいて、前記ＦＩＲフィルタ操作からの前記第１のフィルタされたサンプルおよび前記第２のフィルタされたサンプルが、前記レジスタを通ることなく前記逆拡散操作に入力される、と、
を備え、前記逆拡散操作を実施するための前記手段が、
前記第１のフィルタされたサンプルを第１のコードで第１の逆拡散されたサンプルに逆拡散するための手段と、
前記第２のフィルタされたサンプルを前記第１のコードの時間シフトバージョンで第２の逆拡散されたサンプルに逆拡散するための手段と、
を備える、と、
前記レイクフィンガ操作からの結果を前記レジスタに書き込むための手段と、
を備える、レイクフィンガ処理のための装置。
【請求項１１】
前記回転操作が、前記レジスタからの前記サンプル内の搬送周波数オフセットを補償する、請求項１０に記載の装置。
【請求項１２】
前記回転操作を実施するための前記手段が、
位相を生成するための手段と、
前記搬送周波数オフセットを補償するために、前記生成した位相によって前記レジスタからの前記サンプルを回転するための手段と、
を備える、請求項１１に記載の装置。
【請求項１３】
前記逆拡散操作を実施するための前記手段が、前記第２のフィルタされたサンプルを第２のコードで第３の逆拡散されたサンプルに逆拡散するための手段を備える、請求項１０に記載の装置。
【請求項１４】
前記第２のコードがパイロットコードを備える、請求項１３に記載の装置。
【請求項１５】
前記逆拡散操作を実施するための前記手段が、
第１のシンボルを生成するために、前記第１のコードの長さにわたって前記第１の逆拡散されたサンプルを蓄積するための手段と、
第２のシンボルを生成するために、前記第１のコードの前記時間シフトバージョンの長さにわたって前記第２の逆拡散されたサンプルを蓄積するための手段と、
を備える、請求項１０に記載の装置。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
処置方法に使用する分子、粒子、薬物またはワクチンであって、
前記方法は、
プラズマを発生させるために、第１持続時間を有する１つ以上の第１電気パルスを電極に印加すること、
前記プラズマが接触した皮膚領域に前記分子、薬物またはワクチンを適用すること、および
前記皮膚領域の近傍でプラズマを発生させるために、第２持続時間を有する１つ以上の第２電気パルスを電極に印加すること
を含み、
前記１つ以上の第１電気パルスの前記持続時間は、前記１つ以上の第２電気パルスの前記持続時間より長い、
分子、粒子、薬物またはワクチン。
【請求項２】
前記１つ以上の第１電気パルスの持続時間が約５００ナノ秒〜約１００マイクロ秒である、請求項１記載の方法に使用する分子、粒子、薬物またはワクチン。
【請求項３】
前記１つ以上の第１電気パルスの振幅が約３キロボルト〜約３０キロボルトである、請求項１記載の方法に使用する分子、粒子、薬物またはワクチン。
【請求項４】
前記１つ以上の第１電気パルスの立ち上がり時間が約５Ｖ／ｎｓ〜約１００Ｖ／ｎｓである、請求項１記載の方法に使用する分子、粒子、薬物またはワクチン。
【請求項５】
前記１つ以上の第２電気パルスの持続時間が約１ナノ秒〜約５００ナノ秒であるか、または前記１つ以上の第２電気パルスの持続時間が約１０ナノ秒未満であるか、または第２電気パルスの持続時間が約５００ナノ秒未満である、請求項１記載の方法に使用する分子、粒子、薬物またはワクチン。
【請求項６】
前記１つ以上の第２電気パルスの振幅が約１０キロボルト〜約３０キロボルトである、請求項１記載の方法に使用する分子、粒子、薬物またはワクチン。
【請求項７】
前記１つ以上の第２電気パルスの立ち上がり時間が約０．５ｋＶ／ｎｓ〜約１０ｋＶ／ｎｓである、請求項１記載の方法に使用する分子、粒子、薬物またはワクチン。
【請求項８】
処置方法に使用する薬物またはワクチンであって、
前記方法は、
ある皮膚組織領域上でプラズマを発生させるために、１つ以上の第１電気信号を電極に印加すること、
前記プラズマと接触した皮膚領域に前記薬物またはワクチンを適用すること、および
前記組織領域に対して、１つ以上の第２電気信号を電極に印加すること、
により前記薬品またはワクチンを細胞中に送達することを含み、  
前記１つ以上の第１電気信号が、前記薬物またはワクチンが細胞間に移動することを可能にし、
前記１つ以上の第２電気信号が、前記薬物またはワクチンを細胞内に移動させる、薬物またはワクチン。
【請求項９】
請求項１または８記載の方法に使用する分子、粒子、薬物またはワクチンであり、
前記薬物またはワクチンが前記１つ以上の第１電気パルスの１つの後に適用されるか、または
前記１つ以上の第１電気パルス中の前記電極と前記皮膚の間の距離が、前記１つ以上の第２パルス中の前記電極と前記皮膚の間の距離より大きい、
分子、粒子、薬物またはワクチン。
【請求項１０】
分子、粒子、薬物またはワクチンを細胞間および細胞内に送達するための機器であって、
プラズマ発生装置、
前記プラズマ発生装置に電力を供給するための電源、
分子、薬物またはワクチンの少なくとも１つを細胞間にある組織中の細孔に通過させるための細胞間ポレーション回路網、
分子、薬物またはワクチンの少なくとも１つを細胞中に摂取させるための細胞内ポレーション回路網、および
１つ以上の分子、粒子、薬物またはワクチンが入っているリザーバ、
を備える、機器。
【請求項１１】
前記プラズマ発生装置が筐体を備え、前記リザーバが前記筐体内に配置されている、又は前記プラズマ発生装置の近傍にガス供給源をさらに備える、請求項１０に記載の機器。
【請求項１２】
前記プラズマ発生器が表面から離れるように間隔を置くための１つ以上のスペーサーをさらに備え、好ましくは、前記１つ以上のスペーサーは調整可能であって、前記細胞間ポレーション回路網の使用中は第１の高さに設定し、前記細胞内ポレーション回路網の使用中は第２の高さに設定することができる、請求項１０に記載の機器。
【請求項１３】
前記ワクチンはＤＮＡワクチンである、請求項１から請求項９までのいずれか１項に記載の方法に使用する分子、粒子、薬物またはワクチン。
【請求項１４】
分子、粒子、薬物またはワクチンを細胞間および細胞内に送達するための機器であって、
プラズマ発生装置、
前記プラズマ発生装置に電力を供給するための電源、
前記プラズマ発生装置に１つ以上の第１電気パルスを提供するための回路網、
前記プラズマ発生装置に１つ以上の第２電気パルスを提供するための回路網、および
１つ以上の分子、粒子、薬物またはワクチンが入っているリザーバ、
を備え、
前記１つ以上の第１電気パルスは前記１つ以上の分子、粒子、薬物またはワクチンが組織の層を通過する原因となり、
前記１つ以上の第２電気パルスは前記１つ以上の分子、粒子、薬物またはワクチンが前記組織中の１つ以上の細胞中に入る原因となる、機器。
【請求項１５】
分子又は粒子を送達する非治療方法であって、
プラズマを発生させるために、第１持続時間を有する１つ以上の第１電気パルスを電極に印加すること、
前記プラズマが接触した皮膚領域に前記分子又は粒子を適用すること、および
前記皮膚領域の近傍でプラズマを発生させるために、第２持続時間を有する１つ以上の第２電気パルスを電極に印加すること
を含み、
前記１つ以上の第１電気パルスの前記持続時間は、前記１つ以上の第２電気パルスの前記持続時間より長い、
非治療方法。
【誤訳訂正書】
【提出日】平成30年1月29日(2018.1.29)
【誤訳訂正１】
【訂正対象書類名】特許請求の範囲
【訂正対象項目名】全文
【訂正方法】変更
【訂正の内容】
【特許請求の範囲】
【請求項１】
組織アブレーション用の医療器具であって、
カテーテル・シャフトと、
同カテーテル・シャフト上に配置されるとともに、非拡張形態と拡張形態との間を変化可能である拡張可能なバルーンと、
各々フレキシブル回路として構成される複数の長尺状電極アセンブリとを備え、同複数の電極アセンブリは各々、少なくとも第１および第２の離間した配列に配置される複数の電極を含み、該複数の電極アセンブリは前記バルーンの外側表面上に配置され、
前記複数の電極アセンブリの各々は、前記第１および第２の離間した配列のうちの一つの列内に２つ以上の前記電極と一列に並べられる１つ以上の温度センサを含み、
前記電極アセンブリは、第１の導電層に積層される第１のポリマ層を含む第１の積層シートと、第２の導電層に積層される第２のポリマ層を含む第２の積層シートと、を有する複数層構造体を備え、
前記１つ以上の温度センサは前記複数層構造体の下側表面に配置され、前記１つ以上の温度センサが前記バルーンに対して径方向に面するように、前記複数層構造体は前記下側表面が前記バルーンの前記外側表面に取り付けられ、
前記複数の電極は、前記バルーンから径方向に反対側を向く前記複数層構造体の上側表面に配置されることを特徴とする組織アブレーション用の医療器具。
【請求項２】
前記第１の配列は複数の活性電極を含み、前記第２の配列は複数の接地電極を含むことを特徴とする請求項１に記載の医療器具。
【請求項３】
各温度センサは電極の下に位置されることを特徴とする請求項１または２に記載の医療器具。
【請求項４】
前記複数の長尺状電極アセンブリの各々は、第１および第２の積層のポリマ・銅のシートを含み、各積層のポリマ・銅のシートは、銅の層に積層されるポリマの層を含み、前記第１および第２の積層のポリマ・銅のシートは、前記第２の積層のポリマ・銅のシートのポリマ層に前記第１の積層のポリマ・銅のシートの銅層を取り付けることにより構成され、前記接地電極は、前記第１の積層のポリマ・銅のシートの前記ポリマ層に形成され、前記１つ以上の温度センサは、前記第２の積層のポリマ・銅のシートの前記銅層に取り付けられ、ビア（ｖｉａ）が前記第１および第２の積層のポリマ・銅のシートの前記銅層を連結することを特徴とする請求項２乃至３のうちいずれか一項に記載の医療器具。
【請求項５】
前記複数の電極アセンブリは、前記バルーンと一体的に広げられ、折り畳まれるように構成されることを特徴とする請求項１乃至４のうちのいずれか一項に記載の医療器具。
【請求項６】
前記バルーンはノンコンプライアントバルーンであることを特徴とする請求項５に記載の医療器具。
【請求項７】
前記複数の長尺状電極アセンブリは、前記複数の電極の下を、かつ前記複数の電極間を延びる基層を含み、前記第１の配列と前記第２の配列との間の前記基層の一部は取り払われることを特徴とする請求項１乃至６のうちのいずれか一項に記載の医療器具。
【請求項８】
前記１つ以上の温度センサはサーミスタであることを特徴とする請求項１乃至７のうちのいずれか一項に記載の医療器具。
【請求項９】
前記第１および第２の配列の電極は線形に並べられることを特徴とする請求項１乃至８のうちのいずれか一項に記載の医療器具。
【請求項１０】
各温度センサは、各電極アセンブリ上のもっとも近位側の接地電極に近位側に配置されることを特徴とする請求項２乃至９のうちのいずれか一項に記載の医療器具。
【請求項１１】
各温度センサは、スパッタリングされた熱電対であることを特徴とする請求項１乃至７、９、および１０のうちのいずれか一項に記載の医療器具。
【請求項１２】
ビア（ｖｉａ）が前記第１の導電層と前記第２の導電層を接続することを特徴とする請求項１乃至１０のうちいずれか一項に記載の医療器具。
【誤訳訂正２】
【訂正対象書類名】明細書
【訂正対象項目名】００２０
【訂正方法】変更
【訂正の内容】
【００２０】
交感神経アブレーション器具１２０は長尺状管状部材またはカテーテル・シャフト１２２を備える。いくつかの実施形態では、長尺状管状部材またはカテーテル・シャフト１２２はガイドワイヤまたは他の長尺状医療器具を伝って目的の部位に摺動自在に進められるように構成される。いくつかの実施形態では、長尺状管状部材またはカテーテル・シャフト１２２はガイド・シースまたはカテーテル１４内を摺動自在に目的の部位に進められるように構成される。いくつかの実施形態では、長尺状管状部材またはカテーテル・シャフト１２２は、ガイドワイヤを伝ってガイド・シースまたはカテーテル１４内、あるいはこれらの組み合わせ内を目的の部位に進められるように構成されてもよい。拡張可能な部材１３０は、長尺状管状部材またはカテーテル・シャフト１２２の遠位側領域に、遠位側領域上に、遠位側領域の周囲に、あるいは遠位側領域の近傍に配置される。いくつかの実施形態では、拡張可能な部材１３０は、コンプライトバルーンまたはノンコンプライアントバルーンである。いくつかの実施形態では、拡張可能な部材１３０は非拡張形態と拡張形態との間を変化可能である。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
通信信号を受け取るように構成される再構成可能なベースバンドフィルタであって、第1のフィルタ部および第2のフィルタ部を有し、前記第1のフィルタ部および前記第2のフィルタ部の各々がそれぞれの第1および第2の増幅段を備える、再構成可能なベースバンドフィルタと、
前記第1のフィルタ部および前記第2のフィルタ部に関連する複数のスイッチであって、前記再構成可能なベースバンドフィルタを、各々が低域通過フィルタ出力および帯域通過フィルタ出力のうちの少なくとも1つを生成するように構成される複数の下位フィルタを形成するマルチモードで動作をするように構成するための複数のスイッチと
を備え、
各モードが、前記複数のスイッチのうちのスイッチのそれぞれのセットに関連し、前記モードの１つが、該モードの関連するスイッチのセットを介してアクティブ化されるとき、前記第1のフィルタ部を前記第2のフィルタ部に結合する、デバイス。
【請求項２】
前記再構成可能なベースバンドフィルタが実数フィルタとして構成され、切り替え可能な抵抗/容量(RC)フィードバックを少なくとも前記第1の増幅段に提供するように構成される、請求項1に記載のデバイス。
【請求項３】
前記再構成可能なベースバンドフィルタが実数極および複素数極を有する実数フィルタとして構成され、切り替え可能な抵抗/容量(RC)フィードバックを前記第1および第2の増幅段に提供するように構成され、切り替え可能な抵抗(R)フィードバックを前記第1と第2の増幅段の組合せに提供するように構成される、請求項1に記載のデバイス。
【請求項４】
前記再構成可能なベースバンドフィルタが複素帯域通過フィルタとして構成され、切り替え可能な抵抗/容量(RC)フィードバックを前記第1および第2の増幅段に提供するように構成され、正と負の両方の周波数をフィルタ処理するように構成される、請求項1に記載のデバイス。
【請求項５】
前記再構成可能なベースバンドフィルタが実数帯域通過フィルタを備え、切り替え可能な抵抗/容量(RC)フィードバックを前記第1および第2の増幅段に提供するように構成され、切り替え可能な抵抗(R)フィードバックを前記第1と第2の増幅段の組合せに提供するように構成される、請求項1に記載のデバイス。
【請求項６】
前記通信信号の第1のキャリアおよび第2のキャリアが前記再構成可能なベースバンドフィルタの2つのインスタンスにより処理され、第1の再構成可能なベースバンドフィルタが前記第1のキャリアを処理し、第2の再構成可能なベースバンドフィルタが前記第2のキャリアを処理する、請求項4に記載のデバイス。
【請求項７】
前記通信信号の第1のキャリアおよび第2のキャリアをダウンコンバートするための単一の局部発振器(LO)をさらに備え、前記単一の局部発振器(LO)信号が、前記第1のキャリアの周波数と前記第2のキャリアの周波数との間の実質的に中間の周波数を有する、請求項1に記載のデバイス。
【請求項８】
第1のキャリアおよび第2のキャリアを有する通信信号を受け取るステップと、
請求項１〜７のいずれか一項に定義される再構成可能なベースバンドフィルタを用いて前記第1および第2のキャリアを処理して、第1および第2のキャリア周波数を抽出するステップと、
前記抽出された第1および第2のキャリア周波数を使用して、低域通過フィルタ出力および帯域通過フィルタ出力のうちの少なくとも1つを生成するステップと
を含む、方法。
【請求項９】
第1のモードに関連するスイッチの前記セットによってアクティブ化された前記再構成可能なベースバンドフィルタの第1のモードで、前記通信信号、ならびに前記第1のキャリアおよび前記第2のキャリアの振幅よりも小さい振幅を有する干渉信号を処理するステップをさらに含む、請求項8に記載の方法。
【請求項１０】
第1のモードに関連するスイッチの前記セットによってアクティブ化された前記再構成可能なベースバンドフィルタの第1のモードで、前記通信信号、ならびに前記第1のキャリアと前記第2のキャリアとの間に位置し、前記第1のキャリアおよび前記第2のキャリアのいずれかの振幅よりも小さい振幅を有する第1の干渉信号を処理するステップと、
第2のモードに関連するスイッチの前記セットによってアクティブ化された前記再構成可能なベースバンドフィルタの第2のモードで、前記通信信号、ならびに前記第1のキャリアおよび前記第2のキャリアを有する帯域の外側に位置し、前記第1のキャリアおよび前記第2のキャリアの振幅よりも大きい振幅を有する第2の干渉信号を処理するステップと
をさらに含む、請求項8に記載の方法。
【請求項１１】
第1のモードおよび第3のモードにそれぞれ関連するスイッチの前記セットによってアクティブ化された前記再構成可能なベースバンドフィルタの第1のモードおよび第3のモードで、前記通信信号、ならびに前記第1のキャリアと前記第2のキャリアとの間に位置し、前記第1のキャリアおよび前記第2のキャリアのいずれかの振幅よりも大きい振幅を有する干渉信号を処理するステップであって、前記第1のキャリアが前記第2のキャリアの振幅と異なる振幅を有するステップをさらに含む、請求項8に記載の方法。
【請求項１２】
第1のモードおよび第2のモードにそれぞれ関連するスイッチの前記セットによってアクティブ化された前記再構成可能なベースバンドフィルタの第1のモードおよび第2のモードで、前記通信信号、ならびに前記第1のキャリアと前記第2のキャリアとの間に位置し、前記第1のキャリアおよび前記第2のキャリアのいずれかの振幅よりも大きい振幅を有する干渉信号を処理するステップであって、前記第1のキャリアが前記第2のキャリアの振幅と実質的に同様の振幅を有するステップをさらに含む、請求項8に記載の方法。
【請求項１３】
前記第1のキャリアと前記第2のキャリアを別個に処理するステップをさらに含む、請求項11に記載の方法。
【請求項１４】
単一の局部発振器(LO)を使用して前記第1のキャリアおよび前記第2のキャリアをダウンコンバートするステップであって、前記単一の局部発振器(LO)信号が、前記第1のキャリアの周波数と前記第2のキャリアの周波数との間の実質的に中間の周波数を有するステップをさらに含む、請求項8に記載の方法。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
第１の増幅器段を有し、シングルキャリアモードおよびキャリアアグリゲーション（ＣＡ）モードを有するマルチモード低雑音増幅器（ＬＮＡ）と、
前記第１の増幅器段に結合された第２の増幅器段と
を備え、前記第１の増幅器段が前記ＣＡモードであるとき、前記第２の増幅器段は、キャリアアグリゲート通信チャネルの複数のキャリア周波数を増幅し、ＬＮＡ出力において対応する複数の出力信号を与えるように構成された複数の増幅経路を有し、前記第１の増幅器段が前記シングルキャリアモードであるとき、前記第１の増幅器段は、前記ＬＮＡ出力において別の出力信号を与えるために前記第２の増幅器段をバイパスするように構成された、デバイス。
【請求項２】
前記第１の増幅器段が前記シングルキャリアモードであるとき、前記第１の増幅器段は、電流出力を生成するように構成された、請求項１に記載のデバイス。
【請求項３】
前記第１の増幅器段の電流出力を受信するように構成された共振器回路をさらに備え、前記共振器回路が、前記電流出力を電圧出力に変換するように構成され、前記電圧出力が、前記第２の増幅器段中の前記複数の増幅経路に与えられる、請求項１に記載のデバイス。
【請求項４】
前記第２の増幅器段中の前記複数の増幅経路が複数の調整可能利得段を備える、請求項１に記載のデバイス。
【請求項５】
前記複数の調整可能利得段のうちの少なくとも１つが調整可能入力キャパシタンスを備える、請求項４に記載のデバイス。
【請求項６】
前記調整可能入力キャパシタンスが、前記複数の調整可能利得段の入力インピーダンスを変更するように構成された、請求項５に記載のデバイス。
【請求項７】
１つの第２の増幅器段に結合された複数の第１の増幅器段をさらに備える、請求項１に記載のデバイス。
【請求項８】
マルチモード低雑音増幅器（ＬＮＡ）のモードをシングルキャリアモードおよびキャリアアグリゲーション（ＣＡ）モードのうちの１つを示す状態に設定することと、
前記マルチモードＬＮＡの第１の増幅器段中で通信信号を増幅することと、
前記ＬＮＡが前記ＣＡモードに設定されるとき、前記第１の増幅器段に結合された第２の増幅器段の複数の増幅器経路を使用して前記通信信号の複数のキャリア周波数を増幅し、ＬＮＡ出力において対応する複数の出力信号を与えることと、
前記ＬＮＡが前記シングルキャリアモードに設定されるとき、別の出力信号を前記ＬＮＡ出力に与える前記第１の増幅器段によって前記第２の増幅器段をバイパスすることと
を備える方法。
【請求項９】
前記通信信号が前記シングルキャリアモードで単一のキャリアを備えるとき、前記第２の増幅器段をバイパスすることは、前記第１の増幅器段中で電流を生成することを備える、請求項８に記載の方法。
【請求項１０】
前記第１の増幅器段の電流出力を生成することと、
前記電流出力を電圧出力に変換することと、
前記第２の増幅器段中の前記複数の増幅器経路中で前記電圧出力を増幅することと
をさらに備える、請求項８に記載の方法。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
静電型トランスデューサであって、
貫通開口のアレイを有する導電性の第１の部材と、
可撓性を有する導電性の第２の部材であって、使用時に、前記第１の部材および前記第２の部材の１つまたは両方に印加された電位に応じた静電力によって、平衡位置から前記第１の部材の方に変位するように構成されている、可撓性を有する導電性の第２の部材と、
第３の部材と、
を含み、
前記第２の部材および前記第３の部材は、非平面のプロファイルを有することによって弾性的に変形可能であり、
前記第２の部材および第３の部材のうちの少なくとも１つは、使用時に、前記電位によって前記平衡位置から変位されると、前記第２の部材を付勢して前記平衡位置の方に戻す弾性付勢力を加えるように構成されており、
前記第２の部材および前記第３の部材は、相互に逆であるそれぞれのプロファイルパターンでプロファイルを与えられている、静電型トランスデューサ。
【請求項２】
前記静電型トランスデューサは、使用時に、前記導電性の第１の部材と前記可撓性を有する導電性の第２の部材との間に静電引力のみを発生させる電位を印加するように構成されている、請求項１に記載の静電型トランスデューサ。
【請求項３】
前記第３の部材は、前記第１の部材と前記第２の部材との間にある、可撓性を有する電気絶縁性の部材である、請求項１または２に記載の静電型トランスデューサ。
【請求項４】
前記可撓性を有する導電性の第２の部材が、前記第１の部材上にわたって延在し、および弾性的に変形可能な第３の部材が、前記第２の部材上にわたって延在している、請求項１または２に記載の静電型トランスデューサ。
【請求項５】
前記非平面のプロファイルが、複数の局所的に突出する部分を備える、請求項１に記載の静電型トランスデューサ。
【請求項６】
前記弾性的に変形可能な第２の部材または前記弾性的に変形可能な第３の部材がエンボス加工されている、請求項１〜５のいずれか一項に記載の静電型トランスデューサ。
【請求項７】
前記突出する部分が、１ｍｍ〜２０ｍｍ、好ましくは５ｍｍ〜１０ｍｍの、前記弾性的に変形可能な部材の正中面と平行な最大寸法を有する、請求項５または６に記載の静電型トランスデューサ。
【請求項８】
前記弾性的に変形可能な第２の部材または前記弾性的に変形可能な第３の部材の有効厚さが０．２５ｍｍ〜１０ｍｍである、請求項１〜７のいずれか一項に記載の静電型トランスデューサ。
【請求項９】
前記第１の部材、前記第２の部材および前記第３の部材が、前記トランスデューサの端縁においてのみ接合されている、請求項１〜８のいずれか一項に記載の静電型トランスデューサ。
【請求項１０】
前記第１の部材と前記第２の部材との間、前記第１の部材と前記第３の部材との間、および前記第２の部材と前記第３の部材との間、のうちの少なくとも一つの間に結合をさらに備える、請求項１〜８のいずれか一項に記載の静電型トランスデューサ。
【請求項１１】
前記第１の部材の前記開口が、０．５ｍｍ〜１０ｍｍ、例えば約１．５ｍｍの、前記第１の部材の正中面と平行な最大寸法を有する、請求項１〜１０のいずれか一項に記載の静電型トランスデューサ。
【請求項１２】
前記第１の部材の前記開口間の間隔が０．５ｍｍ〜２ｍｍである、請求項１〜１１のいずれか一項に記載の静電型トランスデューサ。
【請求項１３】
前記導電性の第１の部材が、ポリマーシートであって、その上に金属被覆によって適用された導電性の層を有するポリマーシートを備える複合層である、請求項１〜１２のいずれか一項に記載の静電型トランスデューサ。
【請求項１４】
前記可撓性を有する導電性の第２の部材が、金属被覆されたポリマーシートから作られている、請求項１〜１３のいずれか一項に記載の静電型トランスデューサ。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
無線アクセス技術(RAT)間で共有される通信媒体上の動作を管理する方法であって、
第1のRATに従って第1のRATシグナリングに関して前記媒体を監視するステップと、
前記第1のRATシグナリングによる前記媒体の利用に関連する利用メトリックを決定するステップと、
前記利用メトリックに基づいて時分割多重化(TDM)通信パターンに従って前記媒体上での通信のアクティブ化期間と非アクティブ化期間との間で、第2のRATに従った動作を循環させるステップと、
前記第2のRATに従った動作に対して前記媒体上でのアクティブ化された通信のAOS期間を提供するために、前記循環を周期的に無効化するステップであって、前記AOS期間は、前記TDM通信パターンの個別のアクティブ化期間よりも長い、ステップと
を含む方法。
【請求項２】
前記AOS期間は、約1秒よりも長い持続時間および1分ごとに約1回よりも頻繁である周期性を含む、請求項1に記載の方法。
【請求項３】
セル検出に対してより長い期間を提供するために、前記AOS期間の長さを変更するステップをさらに含む、請求項1に記載の方法。
【請求項４】
前記AOS期間中に1つまたは複数の無線リソース測定を実行するように1つまたは複数のアクセス端末を構成するステップをさらに含む、請求項1に記載の方法。
【請求項５】
前記循環は、1つまたは複数の2次セル(SCell)のセットに対して実行され、前記方法は、前記循環中の前記AOS期間の外で実行されたチャネル品質測定に基づいて、前記セットからSCellを除去するステップをさらに含む、請求項1に記載の方法。
【請求項６】
前記循環は、第1の周波数帯域に関連する、第2の周波数帯域に関連する1次セル(PCell)とともに動作する1つまたは複数の2次セル(SCell)のセットに対して実行され、前記方法は、前記PCellの信号品質測定値に基づいて前記セットにSCellを追加するステップをさらに含む、請求項1に記載の方法。
【請求項７】
無線アクセス技術(RAT)間で共有される通信媒体上の動作を管理するための装置であって、
第1のRATに従って第1のRATシグナリングに関して前記媒体を監視するための手段と、
前記第1のRATシグナリングによる前記媒体の利用に関連する利用メトリックを決定するための手段と、
前記利用メトリックに基づいて時分割多重化(TDM)通信パターンに従って前記媒体上での通信のアクティブ化期間と非アクティブ化期間との間で、第2のRATに従った動作を循環させるための手段と、
前記第2のRATに従った動作に対して前記媒体上でのアクティブ化された通信のAOS期間を提供するために、前記循環を周期的に無効化するための手段であって、前記AOS期間は、前記TDM通信パターンの個別のアクティブ化期間よりも長い、手段と
を含む装置。
【請求項８】
無線アクセス技術(RAT)間で共有される通信媒体上の動作を管理するためのコンピュータ可読記憶媒体であって、プロセッサにより実行されたときに、
第1のRATに従って第1のRATシグナリングに関して前記媒体を監視するステップと、
前記第1のRATシグナリングによる前記媒体の利用に関連する利用メトリックを決定するステップと、
前記利用メトリックに基づいて時分割多重化(TDM)通信パターンに従って前記媒体上での通信のアクティブ化期間と非アクティブ化期間との間で、第2のRATに従った動作を循環させるステップと、
前記第2のRATに従った動作に対して前記媒体上でのアクティブ化された通信のAOS期間を提供するために、前記循環を周期的に無効化するステップであって、前記AOS期間は、前記TDM通信パターンの個別のアクティブ化期間よりも長い、ステップと
を実施するコードを含む、
コンピュータ可読記憶媒体。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
超音波シグネチャを使用してデバイスの位置を特定するための方法であって、
委託されたデバイスと超音波シグネチャを交換するステップと、
前記デバイスの非アクティブ状態を検出したことに応答して超音波ドメインを探索するステップと、
前記探索された超音波ドメインにおいて前記委託されたデバイスとすでに交換された前記超音波シグネチャをキャプチャしたことに応答してユーザ知覚可能な通知を生成して前記デバイスの位置を特定するのを助けるステップとを含む方法。
【請求項２】
前記超音波シグネチャは、ペアリング手順の間に前記委託されたデバイスと交換される、請求項1に記載の方法。
【請求項３】
前記委託されたデバイスは、前記超音波ドメインにおいて前記超音波シグネチャを放出する、請求項1に記載の方法。
【請求項４】
権限を有するペアリングされていないデバイスが、前記超音波ドメインにおいて前記超音波シグネチャを放出する、請求項1に記載の方法。
【請求項５】
前記ユーザ知覚可能な通知が、聴覚的通知または視覚的通知のうちの1つまたは複数を含む、または
前記委託されたデバイスと交換される前記超音波シグネチャが、不可聴音声シグネチャを含む、請求項1に記載の方法。
【請求項６】
加えられた動きまたはプロセッサ活動のうちの1つまたは複数を示す1つまたは複数の測定値に基づいて前記非アクティブ状態を検出することをさらに含む、請求項1に記載の方法。
【請求項７】
前記探索された超音波ドメインにおいて前記超音波シグネチャを検出したことに応答して1つまたは複数のユーザ通知および位置特定タスクを有効化して前記デバイスの位置を特定するのをさらに助けるステップをさらに含む、請求項1に記載の方法。
【請求項８】
委託されたデバイスと超音波シグネチャを交換するための手段と、
装置が非アクティブ状態であることを検出したことに応答して超音波ドメインを探索するための手段と、
前記デバイスの位置を特定するのを助けるために、前記探索された超音波ドメインにおいて前記委託されたデバイスとすでに交換された前記超音波シグネチャをキャプチャしたことに応答してユーザ知覚可能な通知を生成するための手段とを備える装置。
【請求項９】
交換のための前記手段は、ペアリング手順の間に前記委託されたデバイスから前記超音波シグネチャを受信するように構成される、請求項8に記載の装置。
【請求項１０】
前記ユーザ知覚可能な通知は、聴覚的通知または視覚的通知のうちの1つまたは複数を含む、請求項8に記載の装置。
【請求項１１】
前記委託されたデバイスと交換される前記超音波シグネチャは、不可聴音声シグネチャを含む、請求項8に記載の装置。
【請求項１２】
前記装置に関連する加えられた動きまたはプロセッサ活動のうちの1つまたは複数を示す1つまたは複数の測定値に基づいて前記非アクティブ状態を検出するための手段、または
前記探索された超音波ドメインにおいて前記超音波シグネチャを検出したことに応答して1つまたは複数のユーザ通知および位置特定タスクを有効化して前記装置の位置を特定するのをさらに助けるための手段
をさらに備える、請求項8に記載の装置。
【請求項１３】
請求項８から１２のいずれか一項に記載の装置であって、
装置が非アクティブ状態であることを検出するように構成された1つまたは複数のセンサーを備え、
交換するための前記手段が、委託されたデバイスと超音波シグネチャを交換するように構成されたトランシーバであり、
探索するための前記手段および生成するための前記手段が、
マイクロフォンと、
前記1つまたは複数のセンサーが前記非アクティブ状態を検出したことに応答して前記マイクロフォンをアクティブ化して超音波ドメインを探索し、前記マイクロフォンが、前記探索された超音波ドメインにおいて前記委託されたデバイスとすでに交換された前記超音波シグネチャをキャプチャしたことに応答して、ユーザ知覚可能な通知を生成して前記装置の位置を特定するのを助けるように構成されたプロセッサとを備える、装置。
【請求項１４】
前記委託されたデバイスまたは権限を有するペアリングされていないデバイスのうちの1つまたは複数は前記超音波シグネチャを放出し、前記マイクロフォンは、前記超音波シグネチャを前記超音波ドメインにおいてキャプチャするように構成される、請求項13に記載の装置。
【請求項１５】
コンピュータ実行可能命令が記録されたコンピュータ可読記憶媒体であって、1つまたは複数のプロセッサを有するデバイス上で前記コンピュータ実行可能命令を実行することによって、前記1つまたは複数のプロセッサに、請求項1から7のいずれか一項に記載の方法を行わせる、
コンピュータ可読記憶媒体。